(57)【特許請求の範囲】
【請求項１】
ベース側コネクタと該ベース側コネクタに組み合わせたフレーム側コネクタとを含み、接続対象物を前記ベース側コネクタに接続した状態から前記接続対象物を離脱させるよう前記フレーム側コネクタに備えたイジェクト機構を有しているイジェクト機構付きコネクタにおいて、
イジェクト機構は、イジェクタユニットと、該イジェクトユニットの操作力が伝達されるイジェクトバーとを有し、前記イジェクタユニットは、前記イジェクトバーへ操作力を伝達する操作部材と、前記操作部材に回動自在に保持したラッチと、該ラッチを回動自在に収容して保持しかつ弾性部材及び前記操作部材を保持したホルダーとを有し、
前記弾性部材の一端は前記ホルダーに固定されており、前記弾性部材の他端は前記ラッチに固定されており、前記弾性部材は、前記操作部材を前記ホルダーから突出させる方向に常時付勢しかつ前記ラッチを初期状態に維持するよう所定方向に常時付勢するものであり、前記操作部材を前記初期状態に維持する第１の状態と、前記操作部材の操作力を前記イジェクトバーに伝達する第２の状態とするカム部を前記ホルダーに設け、該カム部には前記ラッチの角度を切り替える斜線部が形成されており、前記ラッチには前記操作部材を操作して前記イジェクトバーへ操作力を伝達するときに前記カム部の下縁部を通過する伝達部が形成されていることを特徴とするイジェクト機構付きコネクタ。
【請求項２】
請求項１記載のイジェクト機構付きコネクタにおいて、前記弾性部材の加重方向を前記ラッチに設けた回転軸に対して偏心させたことを特徴とするイジェクト機構付きコネクタ。
【請求項３】
請求項１記載のイジェクト機構付きコネクタにおいて、前記イジェクトバーは、操作力を伝達のための段部を有し、該段部が前記ラッチに位置し、前記ラッチは、前記段部に係合する伝達部と固定部とを有し、前記ホルダーは板バネ部を有し、該板バネ部は、前記固定部に係合するよう該板バネ部に形成したストッパを有していることを特徴とするイジェクト機構付きコネクタ。
【発明の詳細な説明】
【０００１】
【発明の属する技術分野】
本発明は、ＰＣカード等の相手側コネクタを離脱するイジェクト機構を備えているイジェクト機構付きコネクタに関する。
【０００２】
【従来の技術】
従来技術としては、特開平８−３１５１１号公報に、嵌合状態にあるカードを離脱させるイジェクト機構を備えているイジェクタ機構付きコネクタが開示されている。
【０００３】
イジェクト機構は、所定の進行動作を可能にする第１のモードと、所定の進行動作を不能とする第２のモードとを有し、カードが離脱すると共にイジェクト機構を第２のモードとなすものである。
【０００４】
イジェクト機構のモードを切り替えるには、イジェクトバーのテーパー部を利用している。カードを嵌合した時には、テーパー部がラッチを回転させ、イジェクト機構のボタンが突出し、イジェクト力が伝達可能な状態になる。また、このようなイジェクト機構付きコネクタでは、カードの嵌合の有無によりボタン操作の可否を切り替えている。
【０００５】
ところで、カードを使用する機器においては、カードを挿入する挿入口の保護のために、カード形状でありかつ接続部がないダミーカードが挿入される。なお、通常のカードでは、接点部分の接触力により、その離脱時には抜去力が必要である。この抜去力によってカード嵌合時にイジェクトバーは前進状態で固定されている。
【０００６】
【発明が解決しようとする課題】
しかしながら、従来のイジェクト機構付きコネクタでは、ダミーカードに接点部分が無いために、その抜去力が低くなり、イジェクトバーは、動きやすくなるという問題がある。
【０００７】
また、カードが未嵌合の状態にある時には、テーパー部が後退するため、ラッチの回転量が不十分であり、ボタン操作が不可能となる。即ち、ダミーカードを離脱させる目的でイジェクト機構を操作した場合には、ボタンを押し込むと、ラッチがイジェクトバーのテーパー部に乗り上げようとするが、この時、イジェクトバーが後退してしまい、ラッチの回転が不十分となりボタン操作が不可能となるという問題がある。
【０００８】
以上のように従来のイジェクト機構付きコネクタでは、イジェクト機構によってダミーカードを離脱させることができないという問題がある。
【０００９】
それ故に、本発明の課題は、イジェクト機構によってダミーカードを離脱させることができるイジェクト機構付きコネクタを提供することにある。
【００１０】
【課題を解決するための手段】
本発明によれば、ベース側コネクタと該ベース側コネクタに組み合わせたフレーム側コネクタとを含み、接続対象物を前記ベース側コネクタに接続した状態から前記接続対象物を離脱させるよう前記フレーム側コネクタに備えたイジェクト機構を有しているイジェクト機構付きコネクタにおいて、
イジェクト機構は、イジェクタユニットと、該イジェクトユニットの操作力が伝達されるイジェクトバーとを有し、前記イジェクタユニットは、前記イジェクトバーへ操作力を伝達する操作部材と、前記操作部材に回動自在に保持したラッチと、該ラッチを回動自在に収容して保持しかつ弾性部材及び前記操作部材を保持したホルダーとを有し、
前記弾性部材の一端は前記ホルダーに固定されており、前記弾性部材の他端は前記ラッチに固定されており、前記弾性部材は、前記操作部材を前記ホルダーから突出させる方向に常時付勢しかつ前記ラッチを初期状態に維持するよう所定方向に常時付勢するものであり、前記操作部材を前記初期状態に維持する第１の状態と、前記操作部材の操作力を前記イジェクトバーに伝達する第２の状態とするカム部を前記ホルダーに設け、該カム部には前記ラッチの角度を切り替える斜線部が形成されており、前記ラッチには前記操作部材を操作して前記イジェクトバーへ操作力を伝達するときに前記カム部の下縁部を通過する伝達部が形成されていることを特徴とするイジェクト機構付きコネクタが得られる。
【００１１】
【作用】
操作部材は、ラッチを揺動可能に保持しているが、その回転中心と、弾性部材による荷重方向、及びラッチ、イジェクトバー間の結合個所を偏心させることにより、ラッチには回転モーメントが作用する。操作部材は弾性部材による力により突出しようとし、また、ラッチと弾性部材とによるモーメントによって一定方向に回転しようとするが、ホルダーの板バネ部によって、操作部材の位置とラッチの角度とが規制され、操作部材は固定される。
【００１２】
操作部材が初期位置にある第１の状態では、ラッチがホルダーの板バネ部によって規制され、ラッチとイジェクトバーとの間は、結合を解除する状態となっている。接続対象物が嵌合する時には、イジェクトバーが操作部材の内部に深く挿入され、ラッチの下側にはイジェクトバーの段部が位置する。この時に、操作部材を押し込むとラッチはイジェクトバーと、ホルダーのカム部により回転し、操作部材の固定状態が解除する。
【００１３】
ラッチの固定状態が解除されると、バネの力によって操作部材は突出する。また、ラッチは、板バネ部によるモーメントによって回転し、ラッチとイジェクトバーとが結合する第２の状態となる。
【００１４】
突出した操作部材を再び押し込むと、その荷重はラッチを通じてイジェクトバーの段部に伝わり、イジェクトバー及びレバーが押し込まれるため、接続対象物は離脱する。操作部材を押し込んだ後、操作部材の操作力をゆるめると、ラッチは、弾性部材による力によって戻り始めるが、ホルダーの板バネ部とラッチとが接触してバネによるモーメントと逆向きに回転させられ、イジェクトバーとの結合は解除される。その後、操作部材は、初期位置に固定され第１の状態に戻る。
【００１５】
接続対象物が未嵌合である時には、イジェクトバーが操作部材の内部に浅く挿入され、ラッチの下側にはイジェクトバーの段部が位置する。この時に、操作部材を押し込むとラッチは、ホルダーのカム部を通過し、操作部材の操作力をゆるめると、操作部材の固定状態に戻る。
【００１６】
したがって、バネによる力を操作部材の駆動とラッチの回転とに使用し、イジェクト力伝達のための段部とカム部によりラッチの回転を規制してイジェクト動作のモード切り替えを行う。
【００１７】
【発明の実施の形態】
以下、本発明に係るイジェクト機構付きコネクタの一実施の形態例を説明する。図１乃至図３は、一実施の形態例におけるイジェクト機構付きコネクタを示している。このイジェクト機構付きコネクタは、ノートパソコン等の電子機器に搭載されて、ＰＣカード、メモリカードのようなカード（接続対象物）に設けられている相手側コネクタと嵌合して接続するものである。
【００１８】
図１乃至図３を参照して、イジェクト機構付きコネクタは、ベース側コネクタ１０と、ベース側コネクタ１０に組み付けられているフレーム側コネクタ２０とを有している。  ベース側コネクタ１０は、複数の導電性のコンタクト１１と、これらコンタクト１１を保持している樹脂製のインシュレータ１２と、補強金具１３とを有している。補強金具１３は、図１に示す基板２０１へ半田付けによって固定される。
【００１９】
ここで、ベース側コネクタ１０にカードを嵌合させて接続させる方向を嵌合方向Ａ（図１を参照）と呼び、カードがベース側コネクタ１０に嵌合している状態から、カードが離脱する方向を離脱方向Ｂ（図１を参照）と呼ぶことにする。
【００２０】
ベース側コネクタ１０及びフレーム側コネクタ２０は、図２に示したように、フレーム側コネクタ２０の長手方向の両側で互いに対向している壁面に形成されている一対の固定溝２１を有している。ベース側コネクタ１０及びフレーム側コネクタ２０は、インシュレータ１２の長手方向の両側から突出している一対の突起１２ａ間で位置決めされた後に、基板２０１にネジ（図示せず）によってネジ止めされる。
【００２１】
フレーム側コネクタ２０は、互いに平行に位置する一対のフレーム３０と、ベース側コネクタ１０の一面上に設けられるカバー４０と、カバー４０の下面側に設けられるレバー５０、フレーム３０の裏側に設けられるプレート６０と、一方のフレーム３０の外面に設けられるイジェクタユニット７０と、グランドプレート１３０と、アースラグ１４０と、ナット１５０とを有している。
【００２２】
一対のフレーム３０は、樹脂を成形加工することによって作られており、一対のフレーム３０における対向面のそれぞれにカードを嵌合・離脱方向Ａ，Ｂへ移動可能にガイドするように形成されているガイド溝３１と、カバー４０を固定するために一対のフレーム３０の外面に形成されている固定溝３２とを有している。
【００２３】
さらに一対のフレーム３０は、アースラグ１４０を取り付けるように一対のフレーム３０の離脱方向Ｂにおける先端側で内面に形成されているアースラグ取付穴３３と、一対のフレーム３０の外面に形成されているフランジ部３４と、ナット１５０を固定するようにフランジ部３４に形成されているナット固定穴３４ａと、一対のフレーム３０の離脱方向Ｂにおける先端側の外面に形成されているイジェクタユニット固定溝３５とを有している。
【００２４】
カバー４０は、金属板をプレス加工して作られており、平板形状のカバー主板４０ａの長手方向における両側面でカバー主板４０ａから対向するように曲げられている一対のフレーム固定部４１と、カバー主板４０ａに形成されている回転軸（２個所）４２と、レバー５０を固定するようにカバー主板４０ａに形成されているレバー固定部（２個所）４３とを有している。
【００２５】
一対のフレーム固定部４１には、一対のフレーム３０の固定溝３２がそれぞれ入り込み、一対のフレーム３０と一体化されている。２個所に形成されている回転軸４２及びレバー固定部４３は、いずれか一方にレバー５０を取り付けるものである。
【００２６】
レバー５０は、金属板をプレス加工することによって長板形状に作られており、カバー４０に形成されている回転軸４２のいずれか一方に回動可能に嵌め込まれる軸穴５１と、プレート６０に連結するように一端側の近傍に形成されているプレート連結穴５２と、イジェクトバー８０の一方端に連結するように曲げられて形成されているイジェクトバー連結部５３とを有している。
【００２７】
軸穴５１は、カバー４０の回転軸４２に差し込まれて、レバー固定部４３の一方がレバー５０の先端５４を押さえる。よって、レバー５０は、カバー４０に揺動可能に保持される。
【００２８】
プレート６０は、金属板をプレス加工することによって長板形状に作られており、離脱方向Ｂ側の両端には、長手方向の両側の近傍でプレート６０面から下向きに曲げられている一対のカード押出部６１と、レバー５０に結合するように長手方向の中央部に形成されているレバー結合部６２と、長手方向の一方の端部に形成されている固定部６３とを有している。
【００２９】
レバー結合部６２は、レバー５０のプレート連結穴５２に差し込まれる。固定部６３は、一対のフレーム３０とカバー４０との隙間に入り込んでいる。その結果、プレート６０は、レバー５０の揺動とともにフレーム側２０内を嵌合・離脱方向Ａ，Ｂへ進退する。
【００３０】
カードを一対のフレーム３０間へ嵌合方向Ａで挿入した時には、カードの相手側コネクタの先端がカード押出部６１を押し込むため、プレート６０が相手側コネクタとともに移動する。この時レバー５０は、図３の紙面において時計方向に回転し、イジェクトバー８０がカードの嵌合方向Ａとは逆方向に移動する。イジェクトバー８０をカードの嵌合方向Ａに移動させると、レバー５０は，反時計方向に回転し、この時プレート６０も押し出されるため、カード押出部６１は、相手側コネクタを離脱させる。
【００３１】
イジェクタユニット７０は、ボタン（操作部材）９０と、ボタン９０に回動自在に保持されるラッチ１００と、スプリング（弾性部材）１２０と、ボタン９０を回動自在に収容し保持するボタンホルダー（ホルダー）１１０とを有している。
【００３２】
イジェクトバー８０は、ボタン９０からの操作力が伝達されるものである。イジェクタユニット７０とイジェクトバー８０とは、これらでイジェクト機構を構成している。
【００３３】
ボタンホルダー１１０内には、イジェクトバー８０、ボタン９０、ラッチ１００、スプリング１２０が組み込まれ、ボタンホルダー１１０のフレーム固定部１１７が一方のフレーム３０に取り付けたイジェクトユニット７０の固定溝３５内に入ることで固定される。
【００３４】
スプリング１２０の一端は、ボタンホルダー１１０に、他端はラッチ１００にそれぞれ固定される。スプリング１２０は、ボタン９０をボタンホルダー１１０から突出する方向に常時付勢し、かつラッチ１００を初期状態に維持する所定の方向に常時付勢するものである。
【００３５】
グランドプレート１３０は、金属板をプレス加工して長板形状に作られており、カードの上面に設置されているグランド接点部と接触してグランド信号を流すグランド端子１３１と、このグランド信号を基板に流すように長手方向における両端で曲げられている接地部１３２とを有している。なお、グランドプレート１３０は、カバー４０に固定されている。
【００３６】
アースラグ１４０は、金属板をプレス加工してさらに曲げられて形成されているものであり、中間部分に形成されている圧入部１４１が一対のフレーム３０のアースラグ取付穴３３にそれぞれ差し込まれており、嵌合方向Ａの一端から下向きに延びている接地部分１４２が相手側コネクタに生じた不要電流を基板２０１に流す役目を果たす。ナット１５０は、フレーム側コネクタ２０を基板２０１へ固定するために使用され、一対のフレーム３０のナット固定穴３４ａに差し込まれている。
【００３７】
図４をも参照して、イジェクトバー８０は、金属板をプレス加工することによって長板形状に作られており、長手方向の中間部分をクランク形状に曲げて形成されているクランク部８１を境にして嵌合方向Ａへ長い寸法で延びている先端部８２と、離脱方向Ｂへ長い寸法で延びている根元部８３とを有している。
【００３８】
イジェクトバー８０の先端部８２における中間部分には、その板面にフレーム３０との間にバネ力を発生させイジェクトバー８０が不用意に動いてしまうのを防止するバネ部８４が形成されている。先端部８２の最先端部分には、レバー５０のイジェクトバー連結部５３と結合する結合部８５ａ，８５ｂが形成されている。バネ８４と結合部８５ａ，８５ｂとの間には、組立時の逃げ部分となる逃げ部８６が形成されている。
【００３９】
結合部８５ａとレバー５０とは、組立後、これらが突き当たる。結合部８５ｂは、イジェクトバー連結部５３に差し込まれて両者は力を伝達する。根元部８３には、クランク部８１の近傍で板幅の一辺に形成されているテーパー部８７と、テーパー部８７から離脱方向Ｂへ延びているボタン挿入部８８と、テーパー部８７から離脱方向Ｂで板幅の一辺を段差形状とした段部８９が形成されている。ボタン挿入部８８は、段部８９を境にして、上段８９ａと下段８９ｂとに分かれる。
【００４０】
図５（ａ）〜図５（ｃ）をも参照して、ボタン９０は、樹脂を成形加工することによって作られている。ボタン９０は、離脱方向Ｂ側の先端に形成されている操作部９１と、操作部９１から嵌合方向Ａへ延びている本体部９２と、嵌合方向Ａの先端面に凹形状に形成されている先端部９３と、本体部９２の嵌合方向Ａの側面に突出して形成されている回転軸９４と、本体部９２の嵌合方向Ａ側の側面に凹形状に形成されている逃げ部９５とを有している。
【００４１】
さらに、ボタン９０は、回転軸９４の離脱方向Ｂ側で側面を直交する上下面に形成されているストッパ溝９６ａ，９６ｂと、操作部９１の近傍で凹形状に形成されているスプリング挿入部９７と、先端部９３に隣り合う嵌合方向Ａの先端面に凹形状に形成されている溝部９８とを有している。先端部９３には、その先端面から側面上へ突出している一対のラッチストッパ９３ａ，９３ｂが形成されている。
【００４２】
図６（ａ）及び図６（ｂ）をも参照して、ラッチ１００は、金属をプレス加工することによって作られており、互いに平行に位置している外側板１０１と内側板１０２とを有している。外側板１０１と内側板１０２とは、伝達部１０３によってつなげられている。外側板１０１には、下方へ延びている延長部１０１ａと、上方へ延びている組立案内部１０１ｂと、下端辺に凹形状に形成されている曲面１０１ｃ，１０１ｄと、組立案内部１０１ｂの近傍に形成されている穴１０４ａと、後方部分に形成されている突起１０５と、突起１０５の上方で曲げられて外側へ延びている角部１０６とが形成されている。突起１０５には外方向へ延びている固定部１０５ａを備える。
【００４３】
内側面１０２には、上端に形成されている組立案内部１０２ｂと、組立案内部１０２ｂに形成されている穴１０４ｂと、下端から延びているバネ引掛部１０８とが形成されている。外側板１０１と内側板１０２との間には、空間１０７を作っている。
【００４４】
図７（ａ）〜図８（ｂ）をも参照して、ボタンホルダー１１０は、金属板を断面略コの字状に曲げ加工を施して作られているプレス部品である。ボタンホルダー１１０は、断面略コの字状の内部に形成されている空間１１１と、嵌合方向Ａ側で接続板１１０ａに形成されている板バネ部１１２と、嵌合方向Ａで接続板１１０ａに接続されている一対の側板１１０ｂ，１１０ｃに形成されているフレーム引掛部１１３と、一対の側板１１０ｂ，１１０ｃの中間部分で端辺に形成されているフレーム係止部１１４と、一対の側板１１０ｂ，１１０ｃに形成されているストッパ１１５とを有している。
【００４５】
さらにボタンホルダー１１０は、離脱方向Ｂの先端で側板１１０ｃに形成されているバネ引掛部１１６と、一対の側板１１０ｂ，１１０ｃの長手方向の一辺から曲げられて形成されているフレーム固定部１１７と、フレーム引掛部１１３の近傍で一対の側板１１０ｂ，１１０ｃの長手方向の一辺から曲げられ、かつ接続板１１０ａに対向するように曲げられて形成されているカム部１１８とを有している。カム部１１８には、ラッチ１００の角度を切り替える斜線部１１８ａと、伝達部１０３を通過させる下縁部１１８ｂとが形成されている。
【００４６】
板バネ部１１２は、図８（ａ）及び図８（ｂ）に示すように、曲げ部１１２ａと、根元部１１２ｂと、先端部１１２ｃとからなる。先端部１１２ｃは、先端側へ先細りとなるテーパー部１１２ｅが形成されており、その反対側は部分的に折り曲げられている。折り曲げ部分１１２ｆには、テーパー１１２ｇ、ストッパ１１２ｈが形成されている。フレーム引掛部１１３には、曲げ部１１３ａが、フレーム固定部１１７には、圧入突起１１７ａが形成されている。
【００４７】
スプリング１２０は、引張コイルバネであって引張方向に荷重を発生するものである。スプリング１２０の両端には、引掛部１２１，１２２が形成されている。引掛部１２１は、ラッチ１００のバネ引掛部１０８に引掛けられて固定され、引掛部１２２は、ボタンホルダー１１０のバネ引掛部１１６に引掛けられて固定されて荷重を発生している。
【００４８】
図９をも参照して、イジェクタユニツト７０の組立は、ラッチ１００の穴１０４ａ，１０４ｂにボタン９０の回転軸９４を差し込み、両者を回転自在に組合わせた後、スプリング１２０の引掛部１２１をラッチ１００のバネ引掛部１０８に引掛けると、スプリング１２０はボタン９０のスプリング挿入部９７内に収まる。
【００４９】
このラッチ１００とスプリング１２０と一体になったボタン９０とを、ボタンホルダー１１０の空間１１１内に差し込む。その後、スプリング１２０の引掛部１２２をボタンホルダー１１０のバネ引掛部１１６に引掛ける。
【００５０】
以上の組立を行うと、ボタン９０は、スプリング１２０によって常時引っ張られた状態で、ボタンホルダー１１０内をスライド可能となる。そのスライド範囲は、ボタン９０のストッパ溝９６ａ，９６ｂとストッパ１１５が干渉しない範囲に規制される。イジェクトバー８０は、ボタン挿入部８８がボタン９０の溝部９８にスライド可能に差し込まれている。以上の手順で組み立てられたイジェクトユニットは、図１０（ａ）〜図１０（ｅ）に示した５段階の動作を経てイジェクト動作を行う。
【００５１】
即ち、イジェクト操作では、ボタン９０を操作することによりラッチ１００を回動させ、ボタン９０を初期状態に維持する第１の状態（板バネ部１１２のストッパ１１２ｈとラッチ１００の固定部１０５ａとの係合）と、ボタン９０の操作力をイジェクトバー８０に伝達する第２の状態（イジェクトバーの段部８９とラッチ１００の伝達部１０３との係合）とにするカム部１１８をボタンホルダー１１０に設けている。
【００５２】
図１０（ａ）に示す初期状態は、相手側コネクタが嵌合している時の状態であり、その内部を図１１に、ボタン９０とラッチ１００に作用する力の方向を図１２に示す。
【００５３】
図１０（ａ）、図１１及び図１２を参照して、ボタン９０には、スプリング１２０によるｆ１  が矢印方向１６１に働く。
【００５４】
また、ラッチ１００の回転動作の中心は、ボタン９０の回転軸９４であり、その位置は前述の荷重ｆ１  に対してｈだけ偏心しているため、ラッチ１００には矢印方向１６５の方向にモーメントＭ１  が加わる。その大きさは以下の式によって表される。
【００５５】
Ｍ１  ＝ｆ１  ×ｈ
しかし、ラッチ１００の突起１０５の固定部１０５ａに、ボタンホルダー１１０の板バネ部１１２に形成されたストッパ１１２ｈが入るため、上記の荷重とモーメントを支える。そのためボタン９０は、初期状態（第１の状態）の位置に固定される。この初期状態では、相手側コネクタは嵌合状態であるため、イジェクトバー８０はレバー５０に押されてボタン９０側に位置する。
【００５６】
図１０（ｂ）に示すボタン押し込み状態とは、ボタン９０を突出させるためにボタン９０を一度押し込んだ操作で、その内部を図１３に示す。ボタン９０を押し込むと、ラッチ１００は、伝達部１０３がボタンホルダー１１０のカム部１１８上を移動するため、矢印方向１６３（図１３を参照）に回転する。この回転動作により、ラッチ１００の角部１０６が板バネ部１１２から外れ、板バネ部１１２は矢印方向１６４（図１３を参照）に変位する。よって、角部１０６は、板バネ部１１２のテーパー部１１２ｅに引っ掛かる。そして、ラッチ１００は、回転した状態に保たれる。また、ボタン９０を初期位量に固定していたストッパ１１２ｈが外れるため、ボタン９０を押し込む力をゆるめればボタン９０は矢印方向１６１へ移動を始める。
【００５７】
ボタン９０は、ストッパ溝９６ａを構成している離脱方向Ｂ側の壁部分９６ｃと、嵌合方向Ａ側の壁部分９６ｄとがボタンホルダー１１０のストッパ１１５の先端部に当たるまで移動する。この移動中に角部１０６は、板バネ部１１２に引っ掛かっていたが、板バネ部１１２は曲げ部１１２ａで曲がっているため移動途中で引っ掛かりが外れ、スプリング１２０によるモーメントによってラッチ１００が回転する。その状態が図１０（ｃ）に示すボタン突出状態（第２の状態）であり、その内部を図１４に示す。
【００５８】
ボタン９０は、スプリング１２０の荷重によって移動する。この時、ラッチ１００には、矢印方向１６５へモーメントが加わるため、ラッチ１００の伝達部１０３が下段８９ｂに接触するまで回転する。そして、ボタン９０とイジェクトバー８０とは力の伝達が可能となる。
【００５９】
ラッチ１００とイジェクトバー８０との連結により、ボタン９０を押し込むとイジュクトバー８０も一緒に押し込まれる。その結果イジェクトバー８０の結合部８５ａ，８５ｂがレバー５０を押し込む。この結果、レバー５０は、反時計方向に回転しプレート６０が押し出されるため、相手側コネクタの嵌合状態は解除される。
【００６０】
この状態においてボタン９０を初期位置まで押し込んでいった状態が図１０（ｄ）に示すボタン押し込み状態（１）であり、その内部を図１５（ａ）に示す。
【００６１】
ラッチ１００の伝達部１０３は、下段８９ｂに接触するまで回転しているため、伝達部１０３はボタンホルダー１１０におけるカム部１１８の下縁部１１８ｂの下側を通過する。このボタン押込み動作中に、ラッチ１００の角部１０６及び突起１０５は、相次いでボタンホルダー１１０の板バネ部１１２のテーパー１１２ｇ、ストッパ１１２ｈを通過する。
【００６２】
ボタン９０を押し込んでいた操作力をゆるめると、スプリング１２０の荷重によりボタン９０は矢印方向１６１の方向へ移動する。このボタン９０の移動時にラッチ１１０の曲面１０１ｃ，１０１ｄがストッパ１１２ｈに接触しているため、ラッチ１１０は矢印方向１６３に回転しながらボタン９０と共に移動する。この移動はストッパ１１２ｈと固定部１０５ａが接触した時点で終了する。この状態を図１５（ａ）から図１５（ｄ）に示す。
【００６３】
ストッパ１１２ｈと固定部１０５ａとが接触し、ボタン９０の移動が終了した状態はボタン９０の初期位置であるが、この状態でボタン９０を押込むと、ラッチ１００は、スプリング１２０の荷重により、伝達部１０３が下段８９ｂに接触するまで矢印方向１６２（図１４を参照）に回転しながら押込まれる。この時、伝達部１０３は、カム部１１８の下縁部１１８ｂの下側を通過するため、ラッチ１００は回転せず、ボタン９０の固定状態は解除されない。
【００６４】
カードが再び嵌合されると、イジェクトバー８０は、矢印方向１６１へ移動する。この状態を図１５（ｅ）に示す。この状態でボタン９０を押し込むと、ラッチ１００の伝達部１０３は、イジェクトバー８０の上段８９ａからボタンホルダー１１０のカム部１１８の斜線部１１８ａへと接触しながら移動するため、矢印方向１６３（図１３を参照）へ回転する。この状態は、図１０（ｂ）及び図１３に図示したボタン押し込み状態であり、ボタン操作力をゆるめるとボタン９０が突出を開始する。
【００６５】
このように本発明においては相手側コネクタの嵌合・未嵌合によってボタン動作の可否が切り替わるため、誤操作防止が可能となった。
【００６６】
また、ボタン位置を規制するラッチ１００の回転は、ボタンホルダー１１０によって行うため、ダミーカード等の抜去力の低いカードの嵌合時においてもボタン操作が可能となる。
【００６７】
以上の説明においては、イジェクトユニット７０はカードに対して右側に配置していたが、左側に配置した場合には、イジェクトユニット７０を上下反転させ左側に付ければ反対側のボタン９０が付いたイジェクト機構付きコネクタとなる。
【００６８】
【発明の効果】
本発明のイジェクト機構付きコネクタによると、イジェクト操作時にラッチを回転させる部分を、ボタンホルダーのカム部とすることによって、ダミーカード嵌合時の様なイジェクトバーの動きやすい状況においても、ラッチが確実に回転するためボタン操作が可能となる。その結果、抜去力が無いダミーカードの嵌合時においても、イジェクト機構による離脱が可能となる。
【図面の簡単な説明】
【図１】本発明に係るイジェクト機構付きコネクタの一実施の形態例を基板の一部とともに示した斜視図である。
【図２】図１に示したイジェクト機構付きコネクタのフレーム側コネクタを裏側から見た状態を示す斜視図である。
【図３】図１に示したイジェクト機構付きコネクタを分解して示した斜視図である。
【図４】図１に示したイジェクトバーを拡大して示した斜視図である。
【図５】（ａ）は図１に示したボタンを拡大して示した斜視図、（ｂ）は（ａ）を反転した状態で示した斜視図、（ｃ）は（ａ）の右側面図である。
【図６】（ａ）は図３に示したラッチを拡大して示した斜視図、（ｂ）は（ａ）を反転した状態を示した斜視図である。
【図７】（ａ）は図１に示したボタンホルダーを拡大して示した斜視図、（ｂ）は（ａ）の裏面側を示した斜視図、（ｃ）は（ｂ）の角度を変えて示した斜視図である。
【図８】（ａ）は図７に示したボタンホルダーの板バネ部を拡大して示した斜視図、（ｂ）は（ａ）を裏面から見た状態の斜視図である。
【図９】図１に示したイジェクト機構を分解して示した斜視図である。
【図１０】（ａ）〜（ｅ）は、図１に示したイジェクト機構の各動作状態を説明するための斜視図である。
【図１１】図１に示したイジェクト機構の初期状態を拡大して示した斜視図である。
【図１２】図１に示したイジェクト機構において作用する力の向きを説明するための説明図である。
【図１３】図１１に示したイジェクト機構のボタン突出状態を示した斜視図である。
【図１４】図１１に示したイジェクト機構のボタン押し込み状態を示した斜視図である。
【図１５】（ａ）〜（ｅ）は、図１１に示したイジェクト機構のボタン押し込み後におけるイジェクト機構の動作を説明するための説明図である。
【符号の説明】
１０    ベース側コネクタ
１１    ピンコンタクト
１２    インシュレータ
２０    フレーム側コネクタ
３０    フレーム
３２    固定溝
３３    アースラグ取付穴
３４    フランジ部
３４ａ    ナット固定穴
３５    イジェクタユニット固定溝
４０    カバー
４１    フレーム固定部
４２    回転軸
４３    レバー固定部
５０    レバー
５１    軸穴
５２    プレート連結穴
５３    イジェクトバー連結部
６０    プレート
６１    カード押出部
６２    レバー結合部
６３    固定部
７０    イジェクタユニット
８０    イジェクトバー
８３    根元部
８４    バネ部
８５ａ，８５ｂ    結合部
８７    テーパー部
８８    ボタン挿入部
８９    段部
９０    ボタン（操作部材）
９１    操作部
９２    本体部
９３    先端部
９３ａ，９３ｂ    ラッチストッパ
９４    回転軸
９５    逃げ部
９６ａ，９６ｂ    ストッパ溝
９７    スプリング挿入部
９８    溝部
１００    ラッチ
１０１ｂ    組立案内部
１０３    伝達部
１０４ａ    穴
１０５    突起
１０５ａ    固定部
１０８    バネ引掛部
１１０    ボタンホルダー（ホルダー）
１１１    空間
１１２    板バネ部
１１２ａ    曲げ部
１１２ｅ    テーパー部
１１２ｆ    折り曲げ部分
１１２ｇ    テーパー
１１２ｈ    ストッパ
１１３    フレーム引掛部
１１３ａ    曲げ部
１１４    フレーム係止部
１１５    ストッパ
１１６    バネ引掛部
１１７    フレーム固定部
１１８    カム部
１１８ａ    斜線部
１２０    スプリング（弾性部材）
１３０    グランドプレート
１４０    アースラグ
１４２    接地部分
１５０    ナット
【図１】
0003569845.tif 000002
【図２】
0003569845.tif 000003
【図３】
0003569845.tif 000004
【図４】
0003569845.tif 000005
【図５】
0003569845.tif 000006
【図６】
0003569845.tif 000007
【図７】
0003569845.tif 000008
【図８】
0003569845.tif 000009
【図９】
0003569845.tif 000010
【図１０】
0003569845.tif 000011
【図１１】
0003569845.tif 000012
【図１２】
0003569845.tif 000013
【図１３】
0003569845.tif 000014
【図１４】
0003569845.tif 000015
【図１５】
0003569845.tif 000016